(57)【要約】【課題】  余分な光路長を必要とせずに小型化を図り、また、使用時の利便性を向上させたプロジェクタを提供する。【解決手段】  光を出射する光源５１と、画像データに基づいて光源５１からの光を映像に変換する変換部５５を有する光学変換部５４と、光源５１の動作を制御する光源動作制御部としての制御部３８と、光学変換部５４により変換された映像を拡大投写する投写レンズ５９と、光源５１、投写レンズ５９の少なくとも一方を移動し、プロジェクタ１が映像を投写するための適正な光路長となる位置を最大伸長位置として光路長を伸縮する移動部１００と、移動部１００の位置を検出する検出部２００とを有して構成される。そして、光源動作制御部としての制御部３８は、検出部２００の検出信号に基づいて光源５１の点灯を制御する。【選択図】      図３
2006227049.tif 000002
【特許請求の範囲】
【請求項１】
映像を投写するプロジェクタであって、
光を出射する光源と、
画像データに基づいて前記光源からの光を映像に変換する変換部を有する光学変換部と、
前記光源の動作を制御する光源動作制御部と、
前記光学変換部により変換された映像を拡大投写する投写レンズと、
前記光源、前記投写レンズの少なくとも一方を移動し、前記プロジェクタが映像を投写するための適正な光路長となる位置を最大伸長位置として光路長を伸縮する移動部と、
前記移動部の位置を検出する検出部とを有して構成され、
前記光源動作制御部は、前記検出部の検出信号に基づいて前記光源の点灯を制御することを特徴とするプロジェクタ。
【請求項２】
請求項１に記載のプロジェクタであって、
前記光源動作制御部は、前記最大伸長位置に前記移動部が位置したか否かを前記検出部により検出し、位置した場合は、前記光源を点灯状態に制御し、また、位置しない場合は、前記光源を非点灯状態に制御することを特徴とするプロジェクタ。
【請求項３】
請求項１または請求項２に記載のプロジェクタであって、
前記移動部を所定の位置に固定する固定部を更に有し、
前記検出部は、前記固定部が前記最大伸長位置に前記移動部を固定する固定箇所に設けられることを特徴とするプロジェクタ。
【発明の詳細な説明】
【技術分野】
【０００１】
本発明は、映像を投写するプロジェクタの小型化に関する。
【背景技術】
【０００２】
従来のプロジェクタは、特許文献１に記載されるように、プロジェクタを構成するディスプレイパネルを光路に対して平行となる保管位置と、光路に対して傾斜しているか、または、垂直となる操作位置との間を旋回し回転するように配置し、実質的に矩形で平らなハウジング内に収容するプロジェクタが知られている。また、プロジェクタのハウジングは、上壁及び下壁にヒンジ止めされた蓋（フラップ）を有し、蓋は、保管位置でハウジングのサイズが小さくなるように、また、操作位置でハウジング壁を超えてディスプレイパネルが拡張し開放するように配列される。また、ディスプレイパネルの旋回運動は、ディスプレイパネルが保管位置に回転されるときにハウジング内部に収縮される投射レンズの運動に連動している。
【０００３】
【特許文献１】特表２０００−５０８０８９号公報
【発明の開示】
【発明が解決しようとする課題】
【０００４】
しかしながら、特許文献１に記載される構成を採用する場合、ディスプレイパネルを保管位置に旋回し回転させた場合、ディスプレイパネルが他の光学部品と緩衝しないためのスペースが必要となる。スペースが確保されない場合には、スペースを確保するために、ディスプレイパネルと、ディスプレイパネルと干渉する光学部品との間の光路（光路長）を、本来の光学設計上必要な光路長に対して、更に伸ばすことが必要となり、プロジェクタの小型化を阻害するという課題がある。
【０００５】
本発明は、上記課題に鑑みてなされたものであり、余分な光路長を必要とせずに小型化を図り、また、使用時の利便性を向上させたプロジェクタを提供することを目的とする。
【課題を解決するための手段】
【０００６】
上述した目的を達成するために、本発明は、プロジェクタであって、光を出射する光源と、画像データに基づいて光源からの光を映像に変換する変換部を有する光学変換部と、光源の動作を制御する光源動作制御部と、光学変換部により変換された映像を拡大投写する投写レンズと、光源、投写レンズの少なくとも一方を移動し、プロジェクタが映像を投写するための適正な光路長となる位置を最大伸長位置として光路長を伸縮する移動部と、移動部の位置を検出する検出部とを有して構成され、光源動作制御部は、検出部の検出信号に基づいて光源の点灯を制御することを特徴とする。
【０００７】
このようなプロジェクタによれば、移動部により、プロジェクタが映像を投写するための適正な光路長となる位置を最大伸長位置として、光源、投写レンズの少なくとも一方を移動することで光路長を伸縮する。従って、余分な光路長を必要とせず、光路長を短縮する（縮める）ことでプロジェクタのサイズを小さくすることができ、小型化が図れる。また、短縮した光路長を伸長して（伸ばして）元に戻すことができる。また、検出部が移動部の位置を検出し、検出部の検出信号に基づいて光源動作制御部が光源の点灯を制御するため、移動部の移動位置に応じて光源の点灯を制御でき、プロジェクタの利便性が向上する。
【０００８】
上記プロジェクタにおいて、光源動作制御部は、最大伸長位置に移動部が位置したか否かを検出部により検出し、位置した場合は、光源を点灯状態に制御し、また、位置しない場合は、光源を非点灯状態に制御することが好ましい。
【０００９】
このようなプロジェクタによれば、移動部が、最大伸長位置（プロジェクタが映像を投写するための適正な光路長となる位置）に位置した場合には、検出部が検出し、光源動作制御部が制御して、光源が点灯状態となるため、プロジェクタは映像を投写することができ、また、適正な光路長のため、正常な映像が投影される。また、最大伸長位置に位置しない場合には、検出部が検出し、光源動作制御部が制御して、光源が非点灯状態となるため、正常な映像をプロジェクタが投影できない位置においては、光源を非点灯とさせ、映像の投写を終了することができる。これにより、プロジェクタの利便性が向上する。
【００１０】
上記プロジェクタにおいて、移動部を所定の位置に固定する固定部を更に有し、検出部は、固定部が最大伸長位置に移動部を固定する固定箇所に設けられることが好ましい。
【００１１】
このようなプロジェクタによれば、移動部が外力により移動することを防止できる。また、固定部により、移動部を最大伸長位置に固定することで、プロジェクタが映像を投写するための安定した状態を確保できる。また、移動部が固定される固定箇所に検出部が設けられるため、移動部が固定された状態になると同時に移動部の位置を検出することができ、光源を点灯状態とすることができる。これにより、プロジェクタの伸縮による移動と映像投写に対する信頼性が向上し、利便性も向上する。また、移動部が固定される固定箇所に検出部が設けられるため、プロジェクタの別の部位に検出部を設ける必要がなく、コンパクトなプロジェクタを実現できる。
【発明を実施するための最良の形態】
【００１２】
以下、本発明の実施形態を図面に基づいて説明する。
（実施形態）
【００１３】
図１は、本発明の実施形態に係るプロジェクタの概略斜視図であり、図１（ａ）は、プロジェクタの外形を最大に伸長した状態での斜視図であり、図１（ｂ）は、プロジェクタの外形を最も短縮した状態での斜視図である。図１を用いて、プロジェクタの構成を概略説明する。
【００１４】
図１（ａ）に示すように、プロジェクタ１は、プロジェクタ１の外装を構成する略直方体形状の筐体２を備えている。筐体２は、第１の筐体１０と第２の筐体２０とで構成される。また、筐体２は、プラスチック材料を主原料として形成される。第１の筐体１０は、上面側を構成する上ケース１１と、下面側を構成する下ケース１２とで構成される。
【００１５】
上ケース１１の上面部１ａには、筐体２内部に備えるスピーカ９４（後述する）からの音を報音する報音孔１３が形成されている。また、上ケース１１の上面部１ａは一部の領域が盛り上がった凸状部１４を形成しており、凸状部１４の上面部には、各種操作スイッチなどの操作部１５が備えられている。また、第１の筐体１０の前面部１ｂ及び背面部１ｃには、平面形状が概略コの字状の切欠部１６が形成されている。第１の筐体１０の左側面１ｄ中央部には、後述する投写レンズ５９を収容する投写レンズユニット８０が突出するための孔部１７が形成されている。
【００１６】
第２の筐体２０は、略直方体形状の箱状の形状を成し、後述する移動部１００に第２の筐体２０の内面部が固定されており、移動部１００と連動して移動することができるため、第１の筐体１０に対して第２の筐体２０を移動させることができる。第２の筐体２０の前面部１ｅ及び背面部１ｆには、断面三角形状が連続した一対の引掛け部２１が形成されている。
【００１７】
図１（ｂ）に示すように、第２の筐体２０を第１の筐体１０に対して投写レンズユニット８０方向に移動してプロジェクタ１の外形を短縮した場合、第１の筐体１０に形成した切欠部１６に囲まれる領域内に、第２の筐体２０に形成した引掛け部２１が配置される位置関係となる。
【００１８】
本実施形態では、図１（ａ）に示す図は、プロジェクタ１の外形を最大に伸長した状態での斜視図であると同時に、プロジェクタ１が映像を投写するための適正な光路長となる位置での状態の斜視図でもある。また、プロジェクタ１の外形を最大に伸長した状態となる場合は、プロジェクタ１が映像を投写するための適正な光路長となる場合であり、この位置を最大伸長位置としている。また、図１（ｂ）は、プロジェクタ１の外形を最も短縮してプロジェクタ１を小型化した状態での斜視図であると同時に、プロジェクタ１を携帯などする場合の斜視図でもある。また、プロジェクタ１の外形を最も短縮した状態となる場合は、光路長も最も短縮した位置となっており、この位置を最大短縮位置としている。そして、後述する移動部１００が、最大伸長位置と最大短縮位置との間を移動することにより、光路長を伸縮し、プロジェクタ１を伸縮することができる。
【００１９】
本実施形態でのプロジェクタ１の外形形状の大きさに関して、図１（ａ）に示すように、プロジェクタ１の外形を最大に伸長した状態での外形形状の大きさは、投写レンズユニット８０を除いた場合、概略、１００ｍｍ×５０ｍｍ×５０ｍｍ（Ｘ方向×Ｙ方向×Ｚ方向）となる。また、図１（ｂ）に示すように、プロジェクタ１の外形を最も短縮した状態での外形形状の大きさは、概略、７５ｍｍ×５０ｍｍ×５０ｍｍ（Ｘ方向×Ｙ方向×Ｚ方向）となる。本実施形態のプロジェクタ１は、容積で約２５％もの小型化が図られている。
【００２０】
なお、図１（ａ）及び図１（ｂ）の状態は、後述する固定部１４０により、移動部１００が固定されるため、第２の筐体２０が、第１の筐体１０に対して固定され、外力により移動することを防止している。また、図１（ａ）の状態は、後述する検出部２００により、プロジェクタ１が映像を投写するための光源５１を点灯状態にする状態である。
【００２１】
図２は、プロジェクタの回路構成を示すブロック図である。図２を用いて、プロジェクタ１の回路構成及び動作を説明する。
【００２２】
プロジェクタ１は、パソコン（パーソナルコンピュータ）３と無線により接続される。そして、プロジェクタ１は、アンテナ３０、通信部３１、信号変換部３２、画像処理部３３、ＬＣＤ（Liquid Crystal Display）駆動部３４、光学構成部５０、ＬＥＤ（Light Emitting Diode）制御部３９、検出部２００、音声処理部３５、増幅部３６、スピーカ部３７、電源コネクタ４０及びプロジェクタ１の動作全体を統括制御する制御部３８などから構成される。
【００２３】
プロジェクタ１は、光学構成部５０として、光源５１と、光学変換部５４と、投写レンズ５９とを有して構成される。光源５１は、発光源としてのＬＥＤ光源５２と、集光レンズ５３とを有して構成される。光学変換部５４は、コリメータレンズ５７と、伸張レンズ５８と、変換部５５としての液晶ライトバルブ５６とを有して構成される。
【００２４】
次に、プロジェクタ１の動作を説明する。
プロジェクタ１は、アンテナ３０及び通信部３１により、パソコン３からの符号化された画像データ（静止画像データ及び動画像データ）や音声データなどを受信する。受信した画像データや音声データは、信号変換部３２により、複合化され、画像データは、画像処理部３３に出力され、音声データは、音声処理部３５に出力される。
【００２５】
画像処理部３３は、信号変換部３２から入力した画像データに、フレームレート変換およびスケーリング処理などを行う。また、画像処理部３３は、画像データにブライトネス調整、コントラスト調整、ガンマ補正処理などの各種の画像補正も併せて行う。このように加工された画像データは、投写用映像信号としてＬＣＤ駆動部３４に出力される。ＬＣＤ駆動部３４は、画像処理部３３から入力した投写用映像信号に基づき、液晶ライトバルブ５６を駆動する。
【００２６】
音声処理部３５は、信号変換部３２から入力したデジタル信号である音声データを、アナログ信号に変換し、増幅部３６により増幅し、スピーカ部３７により音声として報音孔１３を介して報音する。
【００２７】
ＬＥＤ制御部３９は、制御部３８の信号に基づいて、ＬＥＤ光源５２の輝度調光を行う。具体的には、画像のシーンに対応させて、ＬＥＤ光源５２を駆動する駆動周波数やデューティー比を変化させている。これにより、明るいシーンでは、駆動周波数を上げるまたはデューティー比の「ＯＮ」時間を長くすることにより、ＬＥＤ光源５２を明るく発光させる。また、暗いシーンでは、逆に、駆動周波数を下げるまたはデューティー比の「ＯＮ」時間を短くすることにより、ＬＥＤ光源５２の発光を抑えて暗くさせる制御を行う。なお、ＬＥＤ光源５２は、白色光（すべての色の光を含む）を発光させる。
【００２８】
検出部２００は、後述する固定部１４０により、移動部１００の位置を検出している。詳しくは、プロジェクタ１が映像を投写するための適正な光路長となる位置（プロジェクタ１の外形を最大に伸長した状態での位置）に移動部１００が位置しているか否かを検出して、検出信号を光源動作制御部としての制御部３８に出力している。
【００２９】
制御部３８は、プロジェクタ１の動作全体を統括制御しており、また、後述する検出部２００の検出信号により、光源５１（ＬＥＤ光源５２）の点灯／非点灯を制御する光源動作制御部としての機能を有している。
【００３０】
集光レンズ５３は、ＬＥＤ光源５２で発光した光を効率よく前方に出射させる。コリメータレンズ５７は、光源５１から出射された光を平行光に変換して出射する。伸張レンズ５８は、コリメータレンズ５７から出射された平行光を液晶ライトバルブ５６の所定の入射光領域（図示省略）のサイズに合せて伸張して出射する。
【００３１】
液晶ライトバルブ５６は、本実施形態では、透過型カラー液晶パネルを用いており、ＬＣＤ駆動部３４の信号に基づいて駆動し、伸張レンズ５８から出射された光を変調して映像に変換する。なお、液晶ライトバルブ５６は、透過型液晶パネルに限定されることなく、反射型液晶パネルやデジタルマイクロミラーデバイス等を用いることもできる。
【００３２】
投写レンズ５９は、数種類のレンズから構成されており、液晶ライトバルブ５６により変調され生成された映像を拡大して、プロジェクタ１の外部に出射する。このようにして、プロジェクタ１は、プロジェクタ１の外部に設置したスクリーン１５０などの投影面に映像を拡大投写する。
【００３３】
プロジェクタ１を駆動するための電力は、プロジェクタ１本体とは別に備える電源アダプタ（図示省略）を介して供給される。それにより、電源コネクタ４０を備えて、電源アダプタの電源ジャック４と接続される。
【００３４】
図３は、プロジェクタの外形を最大に伸長した状態における概略断面図であり、図３（ａ）は、プロジェクタの上面側からの概略断面図であり、図３（ｂ）は、図３（ａ）のＡ−Ａ断面図である。図４は、図３（ａ）のＡ−Ａ断面の別の断面図である。図５は、プロジェクタの外形を最も短縮した状態の概略断面図であり、図５（ａ）は、プロジェクタの上面側からの概略断面図であり、図５（ｂ）は、図５（ａ）のＢ−Ｂ断面図である。図６は、図５（ａ）のＢ−Ｂ断面の別の断面図である。図３から図６を用いて、プロジェクタ１の構成及び動作を説明する。
【００３５】
プロジェクタ１は、ベースフレーム１３０と、光源ユニット移動フレーム１１０と、変換部移動フレーム１２０とを基本フレームとして構成される。そして、光源ユニット移動フレーム１１０は、光源ユニット６０を収容し、変換部移動フレーム１２０は、ライトバルブユニット７０を収容する。そして、ベースフレーム１３０は、投写レンズユニット８０を固定すると共に、光源ユニット移動フレーム１１０及び変換部移動フレーム１２０を移動可能に収容する構成となっている。
【００３６】
上記の構成により、光源ユニット６０とライトバルブユニット７０との間の光路長、及び、ライトバルブユニット７０と投写レンズユニット８０との間の光路長を伸縮する構造となる。
【００３７】
なお、光路長とは、光が進む幾何学的な長さ（ｓ）に、光がその中を進んでいる媒質の屈折率（ｎ）を掛け算したもの（ｎｓ）である。しかし、本発明は、コリメータレンズ５７や伸張レンズ５８などのレンズの厚さや材質などを変化させるものではないため、本発明で使用する光路長は、ＬＥＤ光源５２から、投写レンズ５９迄の直線的な物理的距離として便宜上理解しても差支えない。また、プロジェクタ１が映像を投写するために必要な光学設計上の光路長が、プロジェクタ１の外形を最大に伸長したときの状態であり、図１（ａ）、図３及び図４に示される図がその状態での図である。
【００３８】
次に、各フレームの構成及び動作を説明する。
【００３９】
ベースフレーム１３０に関して、構成及び動作を説明する。
ベースフレーム１３０は、平面形状が概略コの字状を成し、光学構成移動部１３１と、ベースフレーム取付部１３３と、投写レンズユニット固定部１３２とで構成される。また、ベースフレーム１３０は、アルミニウム合金で形成される。
【００４０】
光学構成移動部１３１は、ベースフレーム１３０の両サイドを構成し、対称形状となる光学構成移動部１３１ａ及び光学構成移動部１３１ｂから成る。そして、光学構成移動部１３１ａ及び光学構成移動部１３１ｂの相対する側面には、凹部を成す移動用溝１３４（１３４ａ，１３４ｂ）がそれぞれ形成される。移動用溝１３４（１３４ａ，１３４ｂ）は、光学構成移動部１３１の長手方向の一方の端面側を開放し、他方の端面側を閉じて形成されている。移動用溝１３４の閉じた部分の面が溝端部１３６（１３６ａ，１３６ｂ）と成る。このように形成された移動用溝１３４（１３４ａ，１３４ｂ）により、変換部移動フレーム１２０及び光源ユニット移動フレーム１１０は保持されて移動することができる。光学構成移動部１３１は、移動部１００（図３から図６には、移動部１００としての付記は省略）としての働きを行う。
【００４１】
ベースフレーム取付部１３３は、光学構成移動部１３１（１３１ａ，１３１ｂ）のそれぞれのサイドに構成される。そして、ベースフレーム取付部１３３ａ，１３３ｂには、ベースフレーム取付用孔１３７がそれぞれ２箇所ずつ形成される。ベースフレーム取付部１３３は、ベースフレーム取付用孔１３７を介して、下ケース１２の所定の場所にベースフレーム取付ネジ１３８により取付けられる。それにより、ベースフレーム１３０は下ケース１２に固定される。
【００４２】
投写レンズユニット固定部１３２は、ベースフレーム１３０の両サイドをつなぐ部分で上面方向に突出させて構成される。そして、投写レンズユニット固定部１３２は、後述する投写レンズユニット８０を案内して取付け、投写レンズフレーム取付ネジ８２により投写レンズユニット固定部１３２にネジ締めすることで投写レンズユニット８０を固定する。
【００４３】
投写レンズユニット８０は、各種のレンズから構成される投写レンズ５９と、円筒形状の投写レンズフレーム８１とで構成される。また、投写レンズフレーム８１は、投写レンズ５９を所定の位置に収容する投写レンズ収容フレーム８１ａと、投写レンズユニット８０を投写レンズユニット固定部１３２に固定する投写レンズ取付部８１ｂとで構成される。また、投写レンズユニット８０は、焦点調整及びズーム調整が可能であり、ユーザは、投写レンズフレーム８１に構成されるそれぞれの調整用回転部（図示省略）を回転することにより調整することができる。
【００４４】
次に、光源ユニット移動フレーム１１０に関して、構造及び動作を説明する。
光源ユニット移動フレーム１１０は、平面形状が概略矩形で、中央部に穴が形成された形状を成し、光源ユニット移動部１１２と、光源ユニット収容部１１４と、突起部１１５とで構成される。また、光源ユニット移動フレーム１１０は、アルミニウム合金で形成される。
【００４５】
光源ユニット移動部１１２は、光源ユニット移動フレーム１１０の両サイドを構成し、対称形状となる光源ユニット移動部１１２ａ及び光源ユニット移動部１１２ｂから成る。そして、ベースフレーム１３０の光学構成移動部１３１に形成した移動用溝１３４（１３４ａ，１３４ｂ）にそれぞれ案内され移動自在と成る。光源ユニット移動部１１２は、移動部１００を構成している。
【００４６】
光源ユニット収容部１１４は、光源ユニット移動フレーム１１０の両サイドをつなぐ部分であって、投写レンズユニット８０側で上面方向に突出させて構成している。そして、光源ユニット収容部１１４は、後述する光源ユニット６０を所定の位置に収容して固定する。
【００４７】
突起部１１５は、光源ユニット移動フレーム１１０の両サイドをつなぐ部分であって、光源ユニット収容部１１４に相対する側で、光源ユニット収容部１１４と同様に、上面方向に突出させて構成されている。そして、突起部１１５は、接続部材２２により、第２の筐体２０の内面側と接続されて、第２の筐体２０を保持して固定する。接続部材２２は、本実施形態では接着剤を用いているが、ネジなどにより第２の筐体２０を固定しても良い。
【００４８】
なお、光源ユニット６０は、光源５１と、光学変換部５４を構成するコリメータレンズ５７及び伸張レンズ５８と、光源ユニットケース６１とで構成される。光源ユニット６０は、光源５１と、コリメータレンズ５７と、伸張レンズ５８とを光源ユニットケース６１の所定の位置に収容してユニット化したものである。
【００４９】
上記構成により、光源ユニット移動フレーム１１０は、光源ユニット６０を収容して固定し、光源ユニット移動部１１２が、ベースフレーム１３０の有する光学構成移動部１３１に形成した移動用溝１３４に案内され、光路長を伸縮自在に移動することができる。
【００５０】
次に、変換部移動フレーム１２０に関して、構造及び動作を説明する。
変換部移動フレーム１２０は、平面形状が概略コの字状を成し、変換部用移動部１２２と、変換部用収容部１２４とで構成される。また、変換部移動フレーム１２０は、アルミニウム合金で形成される。
【００５１】
変換部用移動部１２２は、変換部移動フレーム１２０の両サイドを構成し、対称形状となる変換部用移動部１２２ａ及び変換部用移動部１２２ｂから成る。そして、ベースフレーム１３０の光学構成移動部１３１に形成した移動用溝１３４（１３４ａ，１３４ｂ）にそれぞれ案内され移動自在と成る。変換部用移動部１２２は、移動部１００を構成している。なお、変換部用移動部１２２（１２２ａ，１２２ｂ）のそれぞれの長手方向の先端部には、緩衝部材１２３が設置される。本実施形態では、ゴムを主原料とした緩衝部材１２３を使用している。
【００５２】
変換部用収容部１２４は、変換部移動フレーム１２０の両サイドをつなぐ部分であって、投写レンズユニット８０側で上面方向に突出させて構成している。そして、変換部用収容部１２４は、後述するライトバルブユニット７０を所定の位置に収容して固定する。
【００５３】
なお、ライトバルブユニット７０は、変換部５５としての液晶ライトバルブ５６と、液晶ライトバルブ５６を収容して固定するライトバルブフレーム７１とで構成される。また、液晶ライトバルブ５６は、フレキシブルなライトバルブケーブル７３を接続固定している。ライトバルブケーブル７３は、後述する回路基板９１に実装されるケーブルコネクタ９５と接続され、ＬＣＤ駆動部３４からの駆動信号を液晶ライトバルブ５６に伝える。液晶ライトバルブ５６は、ライトバルブケーブル７３からの駆動信号に基づいてカラー表示を行う。
【００５４】
上記構成により、変換部移動フレーム１２０は、ライトバルブユニット７０を収容して固定し、変換部用移動部１２２が、ベースフレーム１３０の有する光学構成移動部１３１に形成した移動用溝１３４に案内され、光路長を伸縮自在に移動することができる。
【００５５】
次に、ベースフレーム１３０、光源ユニット移動フレーム１１０及び変換部移動フレーム１２０の組立てに関して説明する。
【００５６】
最初に、投写レンズユニット８０をベースフレーム１３０の投写レンズユニット固定部１３２に固定する。また、変換部移動フレーム１２０の変換部用収容部１２４にライトバルブユニット７０を収容し固定する。また、光源ユニット移動フレーム１１０の光源ユニット収容部１１４に光源ユニット６０を収容し固定する。
【００５７】
次に、ベースフレーム１３０のベースフレーム取付部１３３を第１の筐体１０を構成する下ケース１２の内面側の所定の場所に固定する。その後、ベースフレーム１３０の移動用溝１３４に変換部移動フレーム１２０の変換部用移動部１２２を挿入する。その後、同様にベースフレーム１３０の移動用溝１３４に光源ユニット移動フレーム１１０の光源ユニット移動部１１２を挿入する。
【００５８】
上記、組立てにより、変換部移動フレーム１２０及び光源ユニット移動フレーム１１０は、ベースフレーム１３０に対して移動可能となる。
【００５９】
図３（ｂ）に示すように、回路ユニット９０に関して構造及び構成を概略説明する。
回路ユニット９０は、図２で示したプロジェクタ１の回路ブロックの各回路部を構成する素子を回路基板９１に実装したものである。そして、回路ユニット９０は、第１の筐体１０を形成する上ケース１１の内面側の所定の位置に収容され固定される。
【００６０】
回路ユニット９０は、回路基板９１をベースとして、各回路部を構成する素子であるＣＰＵ（Central Processing Unit）９２や、電源コネクタ４０を構成するコネクタ９３や、スピーカ部３７を構成するスピーカ９４や、ライトバルブケーブル７３を接続するケーブルコネクタ９５などが実装される。
【００６１】
また、上ケース１１の凸状部１４の内面側に対向する回路基板９１の領域には、部品高さが高い素子を配置することで、プロジェクタ１の外形を極力小型化している。特に、コネクタ９３は、回路基板９１の縁部に位置して、凸状部１４の側面壁に孔を設けて、外部の電源アダプタからの電源ジャック４と接続される。その他の回路素子は図示を省略している。
【００６２】
図３（ａ）、図４、図５（ａ）、図６に示すように、光源ユニット移動フレーム１１０には、変換部用牽引部１１９が形成され、変換部移動フレーム１２０には、変換部用被牽引部１２９が形成されている。それぞれの牽引部に関して構成を説明する。
【００６３】
変換部用牽引部１１９は、光源ユニット移動フレーム１１０を構成する光源ユニット収容部１１４の平面中央部で投写レンズユニット８０側に突出して設けられている。そして、変換部用牽引部１１９は、平面方形の牽引ベース部１１９ａと、牽引ベース部１１９ａの先端部に位置して下方に突出する牽引引掛け部１１９ｂと、牽引引掛け部１１９ｂの突出した側面で投写レンズユニット８０と逆側に固定設置される２つの牽引緩衝バネ１１９ｃとで構成される。
【００６４】
変換部用被牽引部１２９は、変換部移動フレーム１２０を構成する変換部用収容部１２４の平面中央部に投写レンズユニット８０と逆側に突出して設けられている。そして、変換部用被牽引部１２９は、平面方形の被牽引ベース部１２９ａと、被牽引ベース部１２９ａの先端部に位置して上方に突出する被牽引引掛け部１２９ｂとで構成される。
【００６５】
なお、変換部用牽引部１１９及び変換部用被牽引部１２９は、対向する位置関係に設置され、光路長を最短に縮めた状態から投写する位置に伸長する場合に使用する部材であり、相互の動作に関しては後述する。
【００６６】
図３に示すように、プロジェクタ１の外形を最大に伸長した状態において、光源ユニット移動フレーム１１０及び変換部移動フレーム１２０をベースフレーム１３０に対して固定するために、固定部１４０（図３には、固定部１４０としての付記は省略）が形成される。
【００６７】
光源ユニット移動フレーム１１０及びベースフレーム１３０に形成する固定部１４０について説明する。
固定部１４０は、光源ユニット移動フレーム１１０を構成する光源ユニット移動部１１２ａ，１１２ｂと、ベースフレーム１３０を構成する光学構成移動部１３１ａ，１３１ｂに形成した移動用溝１３４ａ，１３４ｂとの対向する側面に形成される。
【００６８】
光源ユニット移動部１１２ａ，１１２ｂには、固定部１４０として、固定用溝１１６（１１６ａ，１１６ｂ）、固定用凸部１１７（１１７ａ，１１７ｂ）、固定用バネ１１８（１１８ａ，１１８ｂ）が１セットずつ形成され、移動用溝１３４ａ，１３４ｂには、固定用凸部１１７に対向する位置に、固定用凹部１３５（１３５ａ，１３５ｂ）が一対形成される。なお、固定用溝１１６（１１６ａ，１１６ｂ）及び固定用バネ１１８（１１８ａ，１１８ｂ）は、固定部１４０の構成及び動作として図７で説明を行う。
【００６９】
変換部移動フレーム１２０及びベースフレーム１３０に形成する固定部１４０について説明する。
固定部１４０は、変換部移動フレーム１２０を構成する変換部用移動部１２２（１２２ａ，１２２ｂ）と、ベースフレーム１３０を構成する光学構成移動部１３１に形成した移動用溝１３４ａ，１３４ｂとの対向する側面に形成される。
【００７０】
変換部用移動部１２２ａ，１２２ｂには、固定部１４０として、固定用溝１２６（１２６ａ，１２６ｂ）、固定用凸部１２７（１２７ａ，１２７ｂ）、固定用バネ１２８（１２８ａ，１２８ｂ）が１セットずつ形成され、移動用溝１３４ａ，１３４ｂには、固定用凸部１２７に対向する位置に、固定用凹部１３５（１３５ｃ，１３５ｄ）が一対形成される。なお、固定用溝１２６（１２６ａ，１２６ｂ）及び固定用バネ１２８（１２８ａ，１２８ｂ）は図示省略するが、固定部１４０の構成及び動作として図７で説明を行う。
【００７１】
図５に示すように、プロジェクタ１の外形を最も短縮した状態においても、光源ユニット移動フレーム１１０をベースフレーム１３０に対して固定するために、固定部１４０（図５には、固定部１４０としての付記は省略）が形成される。
【００７２】
この状態での固定部１４０は、光源ユニット移動部１１２ａ，１１２ｂに形成された固定用溝１１６（１１６ａ，１１６ｂ）、固定用凸部１１７（１１７ａ，１１７ｂ）、固定用バネ１１８（１１８ａ，１１８ｂ）を使用し、移動用溝１３４ａ，１３４ｂには、最も短縮した状態における、固定用凸部１１７に対向する位置に、固定用凹部１３５（１３５ｅ，１３５ｆ）が一対形成される。なお、固定用溝１１６（１１６ａ，１１６ｂ）及び固定用バネ１１８（１１８ａ，１１８ｂ）は、固定部１４０の構成及び動作として図７で説明を行う。
【００７３】
図７は、図３（ａ）に示すＣ部の固定部における拡大断面図であり、図７（ａ）は、固定部により固定された状態の図であり、図７（ｂ）は、固定部が移動する状態の図である。図７を用いて、固定部１４０の詳細な構成及び動作を説明する。
【００７４】
図７に示すように、固定部１４０は、光源ユニット移動フレーム１１０を構成する光源ユニット移動部１１２（１１２ｂ）とベースフレーム１３０を構成する光学構成移動部１３１（１３１ｂ）に形成した移動用溝１３４（１３４ｂ）との対向する側面に形成される。
【００７５】
光源ユニット移動部１１２（１１２ｂ）には、円柱形状の凹部となる固定用溝１１６（１１６ｂ）が形成され、固定用溝１１６（１１６ｂ）の内部に、固定用バネ１１８（１１８ｂ）を収容し、その後、一方は半球面凸形状を有し、他方は円柱形状を有する固定用凸部１１７（１１７ｂ）を、円柱形状を有する側を固定用バネ１１８（１１８ｂ）と当接するように収容する。なお、固定用バネ１１８（１１８ｂ）と固定用凸部１１７（１１７ｂ）とは、別部材を用いて一体のユニットとして構成しても良い。
【００７６】
固定用凸部１１７（１１７ｂ）に対向する移動用溝１３４（１３４ｂ）の側面には、固定用凸部１１７の半球面形状部分より若干大きい半球面凹形状を成す固定用凹部１３５（１３５ｂ）が形成される。
【００７７】
図７（ａ）に示すように、上述した固定部１４０の構成により、固定用凸部１１７（１１７ｂ）は、固定用溝１１６（１１６ｂ）に収容する固定用バネ１１８（１１８ｂ）を若干押圧する状態で、固定用凸部１１７（１１７ｂ）の半球面凸形状部分が固定用凹部１３５（１３５ｂ）の半球面凹形状部分を押圧する。それにより、光源ユニット移動フレーム１１０は、ベースフレーム１３０に固定することが可能となる。
【００７８】
図７（ｂ）に示すように、光源ユニット移動フレーム１１０を、ベースフレーム１３０に対して移動するためには、固定用凹部１３５（１３５ｂ）の深さＤを固定用凸部１１７（１１７ｂ）が固定用バネ１１８（１１８ｂ）を更に押縮して乗り越えるだけの力を光源ユニット移動フレーム１１０に加える必要がある。この力が固定部１４０の固定力に相当する。
【００７９】
光源ユニット移動フレーム１１０に力を加えて移動させるには、実際には、光源ユニット移動フレーム１１０と接続される第２の筐体２０に形成した引掛け部２１を押圧しながら第２の筐体２０を移動させることで可能となる。
【００８０】
なお、光源ユニット移動部１１２ａに形成する固定用溝１１６ａ、固定用凸部１１７ａ、固定用バネ１１８ａ及び移動用溝１３４ａに形成する固定用凹部１３５ａも上述したと同様に形成され動作する。上述したように、固定部１４０は構成され動作する。
【００８１】
また、その他の固定部１４０である変換部移動フレーム１２０を構成する変換部用移動部１２２に形成される固定用溝１２６、固定用凸部１２７及び固定用バネ１２８も上記光源ユニット移動フレーム１１０の固定用溝１１６、固定用凸部１１７及び固定用バネ１１８と同様にそれぞれ形成され動作する。また、ベースフレーム１３０を構成する光学構成移動部１３１の移動用溝１３４の固定用凹部１３５（１３５ｃ〜１３５ｆ）も同様に形成され動作する。
【００８２】
上述した固定部１４０の構成及び動作により、ベースフレーム１３０に対して、光源ユニット移動フレーム１１０及び変換部移動フレーム１２０を移動させ固定することができる。
【００８３】
図８は、図３（ａ）に示すＤ部の固定部に設ける検出部の拡大断面図であり、図８（ａ）は、固定部の移動により検出部の検出スイッチが「ＯＦＦ」された状態の図であり、図８（ｂ）は、固定部により移動部が固定され検出スイッチが「ＯＮ」された状態の図である。図８を用いて、検出部２００の詳細な構成及び動作を説明する。
【００８４】
図８（ａ）に示すように、検出部２００は、プッシュ型の検出スイッチであるマイクロスイッチ２１０と、それを実装すると同時にマイクロスイッチ２１０で検出した信号を光源動作制御部としての制御部３８に送信するケーブルなどが実装された検出回路基板２１３とで構成される。なお、マイクロスイッチは、本実施形態で用いるマイクロスイッチ２１０とは異なる仕様のマイクロスイッチを適宜選択して用いることができる。
【００８５】
また、検出部２００は、ベースフレーム１３０を構成する光学構成移動部１３１ａに形成される固定部１４０としての固定用凹部１３５ａに設けられている。検出部２００を固定するために、固定用凹部１３５ａと相対する光学構成移動部１３１ａの外側面に、突出させた検出回路固定用凸部１６０が形成されている。検出回路固定用凸部１６０は、内側にマイクロスイッチ２１０が収容できる空間となる検出回路用溝１６１を形成している。また、半球面凹形状を成す固定用凹部１３５ａの、最下点部分には、マイクロスイッチ２１０の可動軸２１２を挿入する挿入孔１３９が形成されている。
【００８６】
ここで、マイクロスイッチ２１０の可動軸２１２を挿入孔１３９に挿入することで、マイクロスイッチ２１０の本体２１１を検出回路用溝１６１に位置させて、検出回路基板２１３の肩を検出回路固定用凸部１６０の先端部に当接させることにより検出部２００が固定される。検出部２００を固定することにより、マイクロスイッチ２１０の可動軸２１２が、固定用凹部１３５ａの内部に所定の突出量を持って固定されることになる。
【００８７】
図８（ａ）に示すように、光源ユニット移動部１１２ａに形成する固定部１４０の固定用凸部１１７ａが、光学構成移動部１３１ａの移動用溝１３４ａを移動中である場合には、検出部２００での検出信号は「ＯＦＦ」となる。その信号が制御部３８に出力される。
【００８８】
図８（ｂ）に示すように、固定用凸部１１７ａが、移動用溝１３４ａを移動して、固定用凹部１３５ａに位置して、固定用凸部１１７ａの半球面凸形状部分が固定用凹部１３５ａの半球面凹形状部分を押圧した場合、光源ユニット移動フレーム１１０は、ベースフレーム１３０に固定することが可能となる。固定されるのと併せて、固定用凸部１１７ａの半球面凸形状部分が、マイクロスイッチ２１０の可動軸２１２を押圧してマイクロスイッチ２１０の本体２１１側に突出量Ｅだけ押込むことになる。マイクロスイッチ２１０が動作するストロークに合せて可動軸２１２の突出量Ｅを設定しているため、マイクロスイッチ２１０の検出信号は「ＯＮ」となる。その信号が制御部３８に出力される。
【００８９】
この構成により、検出部２００は、光源ユニット移動部１１２ａが固定用凹部１３５ａに固定されると同時に、検出信号「ＯＮ」を出力し、固定されない場合（光源ユニット移動部１１２ａが移動中の場合）には、検出信号「ＯＦＦ」を出力する。
【００９０】
ここで、光源動作制御部としての制御部３８の動作を詳細に説明する。
【００９１】
上述したように、光源ユニット移動部１１２ａが固定用凹部１３５ａに固定されると、プロジェクタ１が映像を投写するための適正な光路長となる位置に位置することになる。この状態になると、検出部２００により、検出信号は「ＯＦＦ」から「ＯＮ」に変わり、制御部３８に検出信号「ＯＮ」を出力することになる。そして、この検出信号「ＯＮ」が制御部３８に入力することにより、制御部３８は、ＬＥＤ光源５２を点灯させるための信号をＬＥＤ制御部３９に出力し、ＬＥＤ光源５２は点灯を開始する。そして、制御部３８は、プロジェクタ１に映像を投写させる動作を開始する。
【００９２】
また、光源ユニット移動部１１２ａが固定用凹部１３５ａに固定された状態から固定用凹部１３５ａに固定されない状態になると、検出部２００により、検出信号は「ＯＮ」から「ＯＦＦ」に変わり、制御部３８に検出信号「ＯＦＦ」を出力することになる。そして、この検出信号「ＯＦＦ」が制御部３８に入力することにより、制御部３８は、ＬＥＤ光源５２を非点灯させるための信号をＬＥＤ制御部３９に出力し、ＬＥＤ光源５２は点灯を終了する（非点灯となる）。そして、制御部３８は、プロジェクタ１に映像を投写させる動作を終了する。
【００９３】
上述した検出部２００及び制御部３８の動作により、プロジェクタ１を伸長し、プロジェクタ１の外形を最大に伸長した位置（プロジェクタ１が映像を投写するための適正な光路長となる位置）になると、ＬＥＤ光源５２が点灯し、プロジェクタ１が映像を投写できる状態となる。また、プロジェクタ１の外形を最大に伸長した位置から移動させると、ＬＥＤ光源５２が非点灯となり、プロジェクタ１が映像を投写しない状態となる。よって、ユーザは、プロジェクタ１に備える操作部１５の電源スイッチを操作しなくても、プロジェクタ１を伸縮することにより、プロジェクタ１に映像を投写させることや、投写を終了させることができる。
【００９４】
次に、図３から図６を用いて、ベースフレーム１３０に対して光源ユニット移動フレーム１１０及び変換部移動フレーム１２０が移動する具体的な移動方法を詳細に説明する。
【００９５】
図３及び図４に示すプロジェクタ１の外形を最大に伸長した状態（光路長を最大に伸長した状態）から、図５及び図６に示すプロジェクタ１の外形を最も短縮する状態（光路長を最も短縮する状態）に至るまでの説明を行う。
【００９６】
第２の筐体２０の引掛け部２１を押圧しながら、外形を縮める方向（投写レンズユニット８０側）に力を加える。これにより、第２の筐体２０が接続される光源ユニット移動フレーム１１０に力が加わり、光源ユニット移動フレーム１１０を構成する光源ユニット移動部１１２ａ，１１２ｂに形成した固定部１４０としての固定用凸部１１７ａ，１１７ｂが、ベースフレーム１３０を構成する光学構成移動部１３１ａ，１３１ｂの移動用溝１３４ａ，１３４ｂに形成する固定用凹部１３５ａ，１３５ｂを加えられた力の方向に押圧する。
【００９７】
加わる力が上述した固定力以上になった場合、図７（ｂ）に示す状態となり、第２の筐体２０が移動を開始する。同時に第２の筐体２０に連動する光源ユニット移動フレーム１１０が移動を開始する。このとき、光源ユニット６０を収容固定した光源ユニット移動フレーム１１０は、移動用溝１３４ａ，１３４ｂに光源ユニット移動部１１２ａ，１１２ｂがそれぞれ案内されながら移動する。
【００９８】
そして、第２の筐体２０を移動し続けると、変換部移動フレーム１２０を構成する変換部用移動部１２２ａ，１２２ｂの先端に設置した緩衝部材１２３に、光源ユニット移動部１１２ａ，１１２ｂの先端が当接する。その状態から、第２の筐体２０に移動方向へ力を加えることにより、変換部移動フレーム１２０を構成する変換部用移動部１２２ａ，１２２ｂに形成した固定部１４０としての固定用凸部１２７ａ，１２７ｂが、移動用溝１３４ａ，１３４ｂに形成する固定用凹部１３５ｃ，１３５ｄを加えられた力の方向に押圧する。
【００９９】
加わる力が上述した固定力以上になった場合、第２の筐体２０（光源ユニット移動フレーム１１０）の移動に連動して、ライトバルブユニット７０を収容固定した変換部移動フレーム１２０は、移動用溝１３４ａ，１３４ｂに変換部用移動部１２２ａ，１２２ｂがそれぞれ案内されながら移動する。
【０１００】
上記のように第２の筐体２０を移動（光源ユニット移動フレーム１１０及び変換部移動フレーム１２０も連動して移動）させて、光源ユニット移動部１１２ａ，１１２ｂに形成した固定用凸部１１７ａ，１１７ｂが、移動用溝１３４ａ，１３４ｂに形成する固定用凹部１３５ｅ，１３５ｆに位置することで、光源ユニット移動フレーム１１０が固定される。
【０１０１】
このとき、変換部移動フレーム１２０の変換部用移動部１２２ａ，１２２ｂは、移動用溝１３４ａ，１３４ｂの溝端部１３６ａ，１３６ｂと一端をそれぞれ当接し、また、他端は、緩衝部材１２３を介して光源ユニット移動フレーム１１０の光源ユニット移動部１１２ａ，１１２ｂから、押圧されながら保持される。これにより、変換部移動フレーム１２０は、ベースフレーム１３０に対して固定される。
【０１０２】
また、この状態で、光源ユニット移動フレーム１１０の光源ユニット収容部１１４に形成される変換部用牽引部１１９は、変換部移動フレーム１２０と緩衝しない位置設定となっている。
【０１０３】
上述した一連の動作により、ベースフレーム１３０に対して光源ユニット移動フレーム１１０及び変換部移動フレーム１２０を所定の位置に固定し、図５及び図６に示すように、プロジェクタ１の外形を最大に短縮することができる。また、この状態が、光路長を最も短縮した状態となる。ユーザは、プロジェクタ１の外形を最も短縮した状態（光路長を最も短縮した状態）で、プロジェクタ１を携帯して持ち運ぶことや、保管することができる。
【０１０４】
次に、図５及び図６に示すプロジェクタ１の外形を最も短縮した状態（光路長を最も短縮した状態）から、図３及び図４に示すプロジェクタ１の外形を最大に伸長する状態（光路長を最大に伸長する状態）に至るまでの説明を行う。
【０１０５】
第２の筐体２０の引掛け部２１を押圧しながら、外形を伸長する方向（投写レンズユニット８０と逆側）に力を加える。これにより、第２の筐体２０が接続される光源ユニット移動フレーム１１０に力が加わり、光源ユニット移動フレーム１１０の固定用凸部１１７ａ，１１７ｂが、ベースフレーム１３０の固定用凹部１３５ｅ，１３５ｆをそれぞれ加えられた力の方向に押圧する。
【０１０６】
加わる力が固定力以上になった場合、図７（ｂ）に示す状態となり、第２の筐体２０が移動を開始する。同時に第２の筐体２０に連動する光源ユニット移動フレーム１１０が移動を開始する。このとき、変換部移動フレーム１２０はそのままの位置を保持している。
【０１０７】
そして、第２の筐体２０を移動し続けると、光源ユニット移動フレーム１１０の光源ユニット収容部１１４に形成される変換部用牽引部１１９も移動し、牽引引掛け部１１９ｂに設置される牽引緩衝バネ１１９ｃが、変換部移動フレーム１２０の変換部用収容部１２４に形成される変換部用被牽引部１２９の被牽引引掛け部１２９ｂに当接する。
【０１０８】
その状態で、第２の筐体２０を移動し続けると、牽引緩衝バネ１１９ｃは、被牽引引掛け部１２９ｂにより押圧され、押圧により牽引緩衝バネ１１９ｃが押縮され、押縮された力が、変換部移動フレーム１２０を移動できる力以上になると、第２の筐体２０の移動に連動して、変換部移動フレーム１２０が移動を開始する。変換部移動フレーム１２０が移動を開始すると、牽引緩衝バネ１１９ｃの押縮は緩和される。
【０１０９】
その状態で、第２の筐体２０を移動（光源ユニット移動フレーム１１０及び変換部移動フレーム１２０も連動して移動）し続けることで、最初に、変換部移動フレーム１２０の固定用凸部１２７ａ，１２７ｂが、移動用溝１３４ａ，１３４ｂに形成する固定用凹部１３５ｃ，１３５ｄに位置することで、変換部移動フレーム１２０が固定される。この状態では、光源ユニット移動フレーム１１０はまだ固定されない。
【０１１０】
変換部移動フレーム１２０が固定された状態で、第２の筐体２０を移動することにより、牽引緩衝バネ１１９ｃが押縮される。牽引緩衝バネ１１９ｃが完全に押縮される手前の位置で、光源ユニット移動部１１２ａ，１１２ｂに形成した固定用凸部１１７ａ，１１７ｂが、移動用溝１３４ａ，１３４ｂに形成する固定用凹部１３５ａ，１３５ｂに位置する。それにより、光源ユニット移動フレーム１１０が固定される。
【０１１１】
なお、牽引緩衝バネ１１９ｃは、ベースフレーム１３０に形成する固定用凹部１３５と、光源ユニット移動フレーム１１０及び変換部移動フレーム１２０に形成する固定用溝１１６及び固定用溝１２６の製造時における位置精度のバラツキや、使用時における移動の仕方のバラツキなどによる固定不良を防止する目的で採用している。
【０１１２】
上述した一連の動作により、ベースフレーム１３０に対して光源ユニット移動フレーム１１０及び変換部移動フレーム１２０を所定の位置に固定し、図３及び図４に示すように、プロジェクタ１の外形を最大に伸長することができる。
【０１１３】
上述した、実施形態によれば以下の効果が得られる。
（１）本実施形態によれば、光源ユニット移動フレーム１１０は、光源ユニット６０を収容し、変換部移動フレーム１２０は、ライトバルブユニット７０を収容する。そして、移動部１００を構成するベースフレーム１３０の移動用溝１３４に、光源ユニット移動フレーム１１０の移動部１００を構成する光源ユニット移動部１１２及び変換部移動フレーム１２０の移動部１００を構成する変換部用移動部１２２を案内している。これにより、光源ユニット移動フレーム１１０及び変換部移動フレーム１２０が、ベースフレーム１３０に対して移動自在となり、光路長を伸縮することができる。光路長を短縮することにより、プロジェクタ１のサイズを小さくすることができ、プロジェクタ１の小型化が実現できる。
【０１１４】
（２）本実施形態によれば、移動部１００により、プロジェクタ１が映像を投写するための適正な光路長となる位置を最大伸長位置として、光源としてのＬＥＤ光源５２を移動することで光路長を伸縮する。従って、余分な光路長を必要とせず、光路長を短縮する（縮める）ことでプロジェクタ１のサイズを小さくすることができ、小型化が図れる。また、短縮した光路長を伸長して（伸ばして）元に戻すことができる。また、検出部２００が移動部１００の位置を検出し、検出部２００の検出信号に基づいて光源動作制御部としての制御部３８が光源５１（ＬＥＤ光源５２）の点灯を制御するため、移動部１００の移動位置に応じて光源５１の点灯を制御でき、プロジェクタ１の利便性が向上する。
【０１１５】
（３）本実施形態によれば、移動部１００としての光源ユニット移動部１１２が、最大伸長位置（プロジェクタ１が映像を投写するための適正な光路長となる位置）に位置した場合には、検出部２００が検出し、光源動作制御部としての制御部３８が制御して、光源５１が点灯状態となるため、プロジェクタ１は映像を投写することができ、また、適正な光路長のため、正常な映像が投影される。また、最大伸長位置に位置しない場合には、検出部２００が検出し、制御部３８が制御して、光源５１が非点灯状態となるため、正常な映像をプロジェクタが投影できない位置においては、光源５１を非点灯とさせることができる。これにより、プロジェクタ１の利便性が向上する。
【０１１６】
（４）本実施形態によれば、移動部１００が固定部１４０により、外力により移動することを防止できる。また、固定部１４０を構成する固定用凹部１３５及び固定用凸部１１７により、移動部１００を構成する光源ユニット移動部１１２を最大伸長位置に固定することで、プロジェクタ１が映像を投写するための安定した状態を確保できる。また、光源ユニット移動部１１２が固定される固定箇所としての固定用凹部１３５ａに検出部２００が設けられるため、光源ユニット移動部１１２が固定された状態になると同時に光源ユニット移動部１１２の位置を検出することができ、光源５１を点灯状態とすることができる。これにより、プロジェクタ１の伸縮による移動と映像投写に対する信頼性が向上し、利便性も向上する。また、光源ユニット移動部１１２が固定される固定用凹部１３５ａに検出部２００が設けられるため、プロジェクタ１の別の部位に検出部を設ける必要がなく、コンパクトなプロジェクタ１を実現できる。
【０１１７】
なお、本発明は、上述した実施形態に限定されず、種々の変更や改良など加えることが可能である。変形例を以下に述べる。
【０１１８】
（変形例１）前記実施形態において、光源５１などで構成される光源ユニット６０を収容する光源ユニット移動フレーム１１０を移動させて、光路長を伸縮している。しかし、これに限らず、投写レンズ５９で構成される投写レンズユニット８０を移動させて、光路長を伸縮しても良い。この場合、基本構造は前記実施形態と同様で、移動部１００であるベースフレーム１３０の移動用溝１３４を加工すると同時に、投写レンズユニット８０を固定する固定部１４０も合せて形成することにより実現できる。
【０１１９】
また、投写レンズユニット８０が筐体２の内部に移動できる構造とすることにより、プロジェクタ１の小型化が図れると同時に、投写レンズユニット８０を外部からの衝撃などに対して保護することが可能となり、投写レンズユニット８０の信頼性を向上することができる。それにより、プロジェクタ１の携帯における利便性を向上できる。
【０１２０】
（変形例２）前記実施形態において、検出部２００は、光源ユニット移動部１１２が固定される固定箇所としての固定用凹部１３５ａに設けられているが、固定用凹部１３５ｂに設けても良いし、固定用凹部１３５ａ，１３５ｂの双方に設けても良い。特に、固定用凹部１３５ａ，１３５ｂの双方に検出部２００を設けた場合には、検出部２００が２箇所となり、ほぼ同時に検出信号が出力されることになり、検出部２００でのチャタリングなどを考慮した許容時間内に制御部３８が検出信号を入力した場合に、光源５１を点灯させる仕様とすることができる。これにより、例えばプロジェクタ１の落下などにより、光源ユニット移動フレーム１１０がベースフレーム１３０に対して歪んでしまい、光学設計上の適正な光路を確保できなくなった場合などの不具合に対しての検出手段として用いることもでき、更にプロジェクタ１の動作の信頼性を向上することが可能となる。
【０１２１】
（変形例３）前記実施形態において、検出部２００は、光源ユニット移動部１１２が固定される固定箇所としての固定用凹部１３５ａに設けられているが、これに限らず、第２の筐体２０と回路基板９１との部分に設けることが可能である。その場合には、第２の筐体２０に突起部を備え、回路基板９１には検出部２００としてのマイクロスイッチを設けて、プロジェクタ１を最大に伸長した状態で、突起部がマイクロスイッチの可動軸を押圧する位置関係とすることにより可能となる。また、マイクロスイッチも前記実施形態で用いたマイクロスイッチ２１０とは異なる仕様のマイクロスイッチを適宜選択して用いることができる。
【０１２２】
（変形例４）前記実施形態において、光源動作制御部は、制御部３８内での処理として構成されているが、これに限らず、ＬＥＤ制御部３９内での処理として構成しても良い。
【０１２３】
（変形例５）前記実施形態でのプロジェクタ１は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタであっても良い。
【図面の簡単な説明】
【０１２４】
【図１】本発明の実施形態に係るプロジェクタの概略斜視図であり、図１（ａ）は、プロジェクタの外形を最大に伸長した状態の斜視図であり、図１（ｂ）は、プロジェクタの外形を最も短縮した状態の斜視図。
【図２】プロジェクタの回路構成を示すブロック図。
【図３】プロジェクタの外形を最大に伸長した状態における概略断面図であり、図３（ａ）は、プロジェクタの上面側からの概略断面図であり、図３（ｂ）は、図３（ａ）のＡ−Ａ断面図。
【図４】図３（ａ）のＡ−Ａ断面の別の断面図。
【図５】プロジェクタの外形を最も短縮した状態の概略断面図であり、図５（ａ）は、プロジェクタの上面側からの概略断面図であり、図５（ｂ）は、図５（ａ）のＢ−Ｂ断面図。
【図６】図５（ａ）のＢ−Ｂ断面の別の断面図。
【図７】図３（ａ）に示すＣ部の固定部における拡大断面図であり、図７（ａ）は、固定部により固定された状態の図であり、図７（ｂ）は、固定部が移動する状態の図。
【図８】図３（ａ）に示すＤ部の固定部に設ける検出部の拡大断面図であり、図８（ａ）は、固定部の移動により検出部の検出スイッチが「ＯＦＦ」された状態の図であり、図８（ｂ）は、固定部により移動部が固定され検出スイッチが「ＯＮ」された状態の図である。
【符号の説明】
【０１２５】
１…プロジェクタ、２…筐体、３…パソコン、４…電源ジャック、１０…第１の筐体、１１…上ケース、１２…下ケース、１３…報音孔、１４…凸状部、１５…操作部、１６…切欠部、１７…孔部、２０…第２の筐体、２１…引掛け部、２２…接続部材、３０…アンテナ、３１…通信部、３２…信号変換部、３３…画像処理部、３４…ＬＣＤ駆動部、３５…音声処理部、３６…増幅部、３７…スピーカ部、３８…制御部、３９…ＬＥＤ制御部、４０…電源コネクタ、５０…光学構成部、５１…光源、５２…ＬＥＤ光源、５３…集光レンズ、５４…光学変換部、５５…変換部、５６…液晶ライトバルブ、５７…コリメータレンズ、５８…伸張レンズ、５９…投写レンズ、６０…光源ユニット、６１…光源ユニットケース、７０…ライトバルブユニット、７１…ライトバルブフレーム、７３…ライトバルブケーブル、８０…投写レンズユニット、８１…投写レンズフレーム、８１ａ…投写レンズ収容フレーム、８１ｂ…投写レンズ取付部、９０…回路ユニット、９１…回路基板、９３…コネクタ、９４…スピーカ、９５…ケーブルコネクタ、１００…移動部、１１０…光源ユニット移動フレーム、１１２…光源ユニット移動部、１１４…光源ユニット収容部、１１５…突起部、１１６…固定用溝、１１７…固定用凸部、１１８…固定用バネ、１１９…変換部用牽引部、１２０…変換部移動フレーム、１２２…変換部用移動部、１２３…緩衝部材、１２４…変換部用収容部、１２７…固定用凸部、１２９…変換部用被牽引部、１３０…ベースフレーム、１３１…光学構成移動部、１３２…投写レンズユニット固定部、１３３…ベースフレーム取付部、１３４…移動用溝、１３５…固定用凹部、１３６…溝端部、１４０…固定部、１５０…スクリーン。２００…検出部、２１０…マイクロスイッチ。
【図１】
2006227049.tif 000003
【図２】
2006227049.tif 000004
【図３】
2006227049.tif 000005
【図４】
2006227049.tif 000006
【図５】
2006227049.tif 000007
【図６】
2006227049.tif 000008
【図７】
2006227049.tif 000009
【図８】
2006227049.tif 000010